(57)【要約】【課題】複数の発光素子を列設した光源を備え、前記発光素子からの光を効率よく原稿の光照射面に照射しつつ前記発光素子による原稿の光照射面での照度ムラを確実に軽減でき、これにより、良好な画像を得ることができる照明装置及び画像読取装置並びに画像形成装置を提供する。【解決手段】所定方向に強い指向特性を有すると共に、原稿Ｇへの主走査方向Ｘに延びる光照射領域Ｌ’に向けて光軸Ｌを照射する複数の発光素子（２１２ａ，…），（２１２ｂ，…）を列設した光源２１１を有する照明装置２１０において、複数の発光素子（２１２ａ，…），（２１２ｂ，…）の少なくとも一つは、主走査方向Ｘに対して光軸Ｌを傾けるように配置されている。【選択図】図６
2010183497.tif 000002
【特許請求の範囲】
【請求項１】
所定方向に強い指向特性を有すると共に、原稿への所定の第１方向に延びる光照射領域に向けて光軸を照射する複数の発光素子を列設した光源を有する照明装置において、
前記複数の発光素子の少なくとも一つは、前記第１方向に対して光軸を傾けるように構成されていることを特徴とする照明装置。
【請求項２】
請求項１に記載の照明装置において、
原稿からの反射光を通過させるスリットが前記光照射領域の下方に形成されていることを特徴とする照明装置。
【請求項３】
請求項１又は２に記載の照明装置において、
前記複数の発光素子は、光源基板に搭載され、前記光源基板の基板面に対して光軸が平行になるように光を射出するサイド発光を行うことを特徴とする照明装置。
【請求項４】
請求項１から３の何れか一つに記載の照明装置において、
前記複数の発光素子は、前記光照射領域を基準にして、前記第１方向に直交する原稿の光照射面に沿った第２方向の両側のうち、一方側に列設された複数の第１発光素子からなる第１発光素子列と、他方側に列設された複数の第２発光素子からなる第２発光素子列とで構成されており、
前記第１発光素子列及び前記第２発光素子列のうちの少なくとも一方の発光素子列に列設された発光素子の少なくとも一つは、前記第１方向に対して光軸を傾けるように構成されていることを特徴とする照明装置。
【請求項５】
請求項４に記載の照明装置において、
前記各第１発光素子の光軸は何れも同じ傾斜方向に傾くと共に、前記各第２発光素子の光軸は何れも前記各第１発光素子の光軸の傾斜方向と同じ方向に傾くことを特徴とする照明装置。
【請求項６】
請求項４に記載の照明装置において、
前記各第１発光素子の光軸は何れも同じ傾斜方向に傾くと共に、前記各第２発光素子の光軸は何れも前記各第１発光素子の光軸の傾斜方向とは逆向きの傾斜方向に傾くことを特徴とする照明装置。
【請求項７】
請求項５又は６に記載の照明装置において、
前記各第１発光素子の光軸は互いに平行であると共に、前記各第２発光素子の光軸も互いに平行であることを特徴とする照明装置。
【請求項８】
請求項４に記載の照明装置において、
前記第１発光素子列の各隣り合う第１発光素子の光軸が互いに異なる方向に傾き、前記第２発光素子列の各隣り合う第２発光素子の光軸も互いに異なる方向に傾くことを特徴とする照明装置。
【請求項９】
請求項８に記載の照明装置において、
前記第１発光素子列における一つおきの第１発光素子の光軸は互いに平行であると共に、残りの第１発光素子の光軸は互いに平行でかつ該一つおきの第１発光素子の光軸の傾斜方向とは逆向きの傾斜方向に傾き、
前記第２発光素子列における一つおきの第２発光素子の光軸は互いに平行でかつ前記一つおきの第１発光素子の光軸の傾斜方向と同じ方向に傾くと共に、残りの第２発光素子の光軸は互いに平行でかつ該一つおきの第２発光素子の光軸の傾斜方向とは逆向きの傾斜方向に傾くことを特徴とする照明装置。
【請求項１０】
請求項４から９の何れか一つに記載の照明装置において、
前記各発光素子の光軸は、前記各発光素子のうち、一の発光素子から前記光照射領域に向けた仮想垂線と前記光照射領域との素子配置交点と、該一の発光素子の隣に位置する隣設発光素子から前記光照射領域に向けた仮想垂線と前記光照射領域との隣設素子配置交点との間の１／４の位置、２／４の位置及び３／４の位置のうちの何れかの位置に向かうことを特徴とする照明装置。
【請求項１１】
請求項４から１０の何れか一つに記載の照明装置において、
前記第１発光素子の光軸と前記光照射領域との第１光軸交点と、前記第２発光素子の光軸と前記光照射領域との第２光軸交点とは、互いに異なる位置に位置することを特徴とする照明装置。
【請求項１２】
請求項１１に記載の照明装置において、
前記各第１発光素子の前記第１光軸交点及び前記各第２発光素子の前記第２光軸交点は、互いに異なる位置に位置し、一方の各光軸交点は、他方の各隣り合う光軸交点間における中間位置のうちの何れかの中間位置に位置することを特徴とする照明装置。
【請求項１３】
請求項４から１２の何れか一つに記載の照明装置において、
前記第１発光素子列の各第１発光素子と、前記第２発光素子列の各第２発光素子とは、互いに対向する発光素子を通る仮想直線が前記第１方向に対して垂直になるように列設されていることを特徴とする照明装置。
【請求項１４】
請求項４から１３の何れか一つに記載の照明装置において、
前記第１発光素子列の各第１発光素子と、前記第２発光素子列の各第２発光素子とは、前記第１方向に対して平行に列設されていることを特徴とする照明装置。
【請求項１５】
請求項１から１４の何れか一つに記載の照明装置を備えたことを特徴とする画像読取装置。
【請求項１６】
請求項１５に記載の画像読取装置を備えたことを特徴とする画像形成装置。
【発明の詳細な説明】
【技術分野】
【０００１】
本発明は、原稿を照明する照明装置、画像読取装置及び画像形成装置に関する。
【背景技術】
【０００２】
複写機、ファクシミリ装置及びデジタル複合機等の画像形成装置に備えられる画像読取装置や、ネットワーク等の通信手段を介してコンピュータに接続される画像読取装置においては、一般的に、光源を有する照明装置によって照明された原稿からの反射光を原稿画像として読み取るようになっている。
【０００３】
例えば、従来の画像読取装置として、原稿台ガラス上に載置された原稿を照明する光源及び第１ミラーを配置した照明装置と、第２及び第３ミラーと、結像レンズと、撮像素子（例えば、ＣＣＤ（Charge Coupled Device）等のラインセンサ）とを備え、光源により照明された原稿反射光を第１ミラー、第２ミラー、第３ミラーから結像レンズを介して撮像素子に結像させて原稿画像を読み取る構成のものが多い。
【０００４】
また、画像読取装置は、例えば、ＣＣＤなどの撮像素子上に結像された画像情報を電気信号に変換して画像処理し、画像情報の印刷を行う画像形成部へ転送する場合や、ネットワークに接続されたコンピュータ（例えばパーソナルコンピュータ）へ送信する場合などの画像読取手段として使用される。
【０００５】
従来、照明装置に設けられる光源として、ハロゲンランプやキセノンランプなどの棒状の光源や、発光ダイオード（ＬＥＤ）などの複数の発光素子を列設した光源を採用することがある。
【０００６】
このうち、複数の発光素子を列設した光源を採用する場合、ＬＥＤなどの発光素子は所定方向に強い指向特性を有しているため、原稿の光照射面で発光素子のピッチに対応する照度ムラが発生することがある。
【０００７】
図１３は、複数の発光素子Ｃ，…を列設した従来の光源の概略構成を示す図であって、図１３（ａ）は、その側面図を示しており、図１３（ｂ）は、その平面図を示している。図１４は、図１３に示す発光素子Ｃ，…から出射される光の指向特性を示す図である。また、図１５は、図１３に示す発光素子Ｃ，…による原稿Ｇの光照射面Ｇ’での照度ムラを説明するための図であって、図１５（ａ）は、発光素子Ｃ，…の配置構成に対応した原稿Ｇの光照射面Ｇ’での第１方向Ｘの距離に対する照度のグラフを示しており、図１５（ｂ）は、発光素子Ｃ，…の配置構成を示している。なお、図中符号Ｒは、照明装置の基台Ｒ’におけるスリットを示しており、図中符号Ｎは、発光素子Ｃ，…を搭載した光源基板を示している。また、図１３（ａ）においては原稿Ｇも図示している。
【０００８】
ところで、ＬＥＤなどの発光素子Ｃ，…では、指向特性における光束が最も強くなる方向が光軸Ｌとされる。この発光素子Ｃ，…の指向特性は、図１４に示すように、長軸が光軸Ｌとなった卵形の形状となっている。
【０００９】
そして、従来の光源では、原稿Ｇにおける所定の第１方向Ｘに延びる光照射領域Ｌ’に向けて光軸Ｌを照射する複数の発光素子Ｃ，…は、各光軸Ｌを光照射領域Ｌ’に対して直角に照射して原稿Ｇにおいて輝点Ｍが光軸Ｌと光照射領域Ｌ’との光軸交点となる位置に配置される。また、複数の発光素子Ｃ，…は、図示例のように、光照射領域Ｌ’をおいて第１方向Ｘに直交する原稿Ｇの光照射面Ｇ’に沿った第２方向Ｙ両側に列設されることがあり、この場合、両側の対向する発光素子（Ｃ，Ｃ），…は、原稿Ｇへの光軸距離が同一距離になるように配置され、両側の対向する発光素子（Ｃ，Ｃ），…の光軸Ｌが光照射領域Ｌ’の同じ位置に照射される。
【００１０】
このような従来の光源では、図１４及び図１５（ｂ）に示すように、原稿Ｇの光照射面Ｇ’での輝点Ｍは指向特性において光の強度が最も強い頂点に位置している。このため、図１５（ａ）に示すように、第１方向Ｘにおける照度ムラの照度の最大値から最小値への照度変化の傾きα１、及び、照度の最小値から最大値への照度変化の傾きα２が最も大きくなるので、原稿Ｇの照度ムラが目立ちやすくなっていた。しかも、発光素子Ｃ，…が、光照射領域Ｌ’をおいて第２方向Ｙ両側に列設され、両側の対向する発光素子（Ｃ，Ｃ）…の光軸Ｌが光照射領域Ｌ’の同じ位置に照射されると、それだけ明暗が強調され、原稿Ｇの照度ムラがさらに目立ちやすくなる。
【００１１】
かかる照度ムラを軽減するという観点から、下記特許文献１には、原稿と複数の発光素子を列設した光源との間に光を拡散する拡散部材を設ける照明装置が開示されている。また、下記特許文献２には、複数の発光素子を千鳥状に列設した光照射装置が開示されている。
【００１２】
ところが、特許文献１に記載の照明装置では、原稿と光源との間に拡散部材を設けることで、発光素子による原稿の光照射面での照度ムラを軽減できるものの、新たに拡散部材を設ける必要があり、製造コストが増大する。さらには、拡散部材により原稿の光照射面での照度が低下し、光源からの光が原稿へ照射される際の光量ロスを招く。このため、原稿の読み取り速度が比較的速い画像読取装置への採用が困難となる。また、光量ロスをカバーするために発光素子の光量を上げると、発光素子の寿命低下や消費電力が大きくなるといった不都合がある。
【００１３】
また、特許文献２に記載の光照射装置では、発光素子が千鳥状の配置構成となっているので、発光素子による原稿の光照射面での照度ムラを軽減できたとしても、前述した両側の対向する発光素子から光照射領域の同じ位置に光軸を照射する構成に比べ発光素子の個数が半減するため、全体として光量が低下し、その低下分を補うために光量を上げると、発光素子の寿命低下を招く。
【００１４】
従って、原稿と複数の発光素子を列設した光源との間に拡散部材を設けることなく、発光素子からの光を効率よく原稿の光照射面に照射しつつ発光素子による原稿の光照射面での照度ムラを軽減することが望まれている。
【００１５】
この点に関し、下記特許文献３には、画像を読み取る際の発光素子単体の光量をＡ、全体の光量をＢ、発光素子の照射角をα（ｒａｄ）、発光素子のピッチをＰ、発光素子の発光面から原稿面までの距離をＨとしたとき、これらの値がＡ／Ｂ≧０．５、Ｐ／Ｈ≦０．６α＋０．２５を満足するように設定されることで、コストアップを抑制しつつ、照度ムラのない原稿照射を行うことができる照明装置が開示されている。
【００１６】
しかしながら、特許文献３に記載の照明装置では、上記した関係式のうち、Ａ／Ｂ≧０．５は、単にＡ／Ｂを大きくして必要光量を得るための発光素子の数量を少なくするという観点から決定されたものであり、Ｐ／Ｈ≦０．６α＋０．２５は、光源の発光面から原稿面までの距離を一定（６ｍｍ）としたときのみの関係を示しているだけであるため（段落［００３６］〜［００６０］参照）、発光素子からの光を効率よく原稿の光照射面に照射しつつ発光素子による原稿の光照射面での照度ムラを確実に軽減できるとは言い難い。
【先行技術文献】
【特許文献】
【００１７】
【特許文献１】特開２００８−１７２５６１号公報
【特許文献２】特開２００８−１１８２４６号公報
【特許文献３】特開２００８−１９７４３２号公報
【発明の概要】
【発明が解決しようとする課題】
【００１８】
そこで、本発明は、複数の発光素子を列設した光源を備えた照明装置及び画像読取装置並びに画像形成装置であって、前記発光素子からの光を効率よく原稿の光照射面に照射しつつ前記発光素子による原稿の光照射面での照度ムラを確実に軽減でき、これにより、良好な画像を得ることができる照明装置及び画像読取装置並びに画像形成装置を提供することを目的とする。
【課題を解決するための手段】
【００１９】
所定方向に強い指向特性を有する発光ダイオード（ＬＥＤ）等の発光素子は、この指向特性において、光束が最も強くなる方向を光軸としている。この指向特性は、原稿の光照射面において光軸から離れた位置では急激に光度が弱くなる傾向を示す。そして、原稿の光照射面において光軸と所定の第１方向に延びる光照射領域との光軸交点に輝点が位置している場合に（すなわち光軸が前記光照射領域に対して直角の場合に）光の強弱の変化が最も激しい位置となる。これに対し、光軸が前記第１方向に対して傾いていると、原稿の光照射面において輝点は光の強弱の変化が比較的緩やかな位置となる。
【００２０】
本発明は、かかる指向特性を利用したものであり、前記課題を解決するために、所定方向に強い指向特性を有すると共に、原稿への所定の第１方向に延びる光照射領域に向けて光軸を照射する複数の発光素子を列設した光源を有する照明装置において、前記複数の発光素子の少なくとも一つは、前記第１方向に対して光軸を傾けるように構成されていることを特徴とする照明装置を提供する。
【００２１】
また、本発明は、前記本発明に係る照明装置を備えたことを特徴とする画像読取装置も提供する。
【００２２】
また、本発明は、前記本発明に係る画像読取装置を備えたことを特徴とする画像形成装置も提供する。
【００２３】
本発明に係る照明装置及び画像読取装置並びに画像形成装置によれば、前記複数の発光素子の少なくとも一つが前記第１方向に対して光軸を傾けるように構成されることで、前記指向特性により、原稿の光照射面での輝点を光の強弱の変化が最も激しい点からずれた位置（すなわち、光の強弱の変化が比較的緩やかな位置）とすることができる。こうすることで、前記第１方向における照度ムラの照度の最大値から最小値への照度変化の傾き、及び、照度の最小値から最大値への照度変化の傾きを小さくできるため、原稿の照度ムラ（輝点）を目立ち難くできる。従って、前記発光素子からの光を効率よく原稿の光照射面に照射しつつ前記発光素子による原稿の光照射面での照度ムラを確実に軽減でき、これにより、良好な画像を得ることができる。
【００２４】
本発明において、原稿からの反射光を通過させるスリットが前記光照射領域の下方に形成されている態様を例示できる。
【００２５】
この特定事項では、前記スリットが前記光照射領域の下方に位置しているので、照度ムラが軽減された原稿反射光を前記スリットに効率よく通過させることができる。
【００２６】
本発明において、前記複数の発光素子は、光源基板に搭載され、前記光源基板の基板面に対して光軸が平行になるように光を射出するサイド発光を行うことが好ましい。
【００２７】
この特定事項では、前記複数の発光素子は、前記光源基板の基板面に対して光軸が平行になるように光を射出するサイド発光を行うので、該発光素子を基板面に沿って回転させるだけで、光軸を前記第１方向に対して容易に傾けることができる。
【００２８】
本発明において、前記複数の発光素子は、前記光照射領域を基準にして、前記第１方向に直交する原稿の光照射面に沿った第２方向の両側のうち、一方側に列設された複数の第１発光素子からなる第１発光素子列と、他方側に列設された複数の第２発光素子からなる第２発光素子列とで構成されており、前記第１発光素子列及び前記第２発光素子列のうちの少なくとも一方の発光素子列に列設された発光素子の少なくとも一つは、前記第１方向に対して光軸を傾けるように構成されている態様を例示できる。
【００２９】
この特定事項では、前記両側の発光素子から光軸が前記第１方向に対して傾いた状態で前記光照射領域に照射されるので、従来の如く、光軸が光照射領域に対して直角に照射する構成や、発光素子を千鳥状に配置した従来の構成よりも原稿の照度ムラを目立ち難くできる。しかも、前記発光素子からの光軸を前記両側から光照射領域に照射できるため、発光素子を千鳥状に配置した従来の構成よりも光量を上げなくてもよく、これにより原稿の照度ムラを軽減した状態で発光素子の寿命低下を抑制することができる。
【００３０】
この態様において、さらに、次の（ａ）から（ｃ）の態様を例示できる。すなわち、
（ａ）前記各第１発光素子の光軸は何れも同じ傾斜方向に傾くと共に、前記各第２発光素子の光軸は何れも前記各第１発光素子の光軸の傾斜方向と同じ方向に傾く態様、
（ｂ）前記各第１発光素子の光軸は何れも同じ傾斜方向に傾くと共に、前記各第２発光素子の光軸は何れも前記各第１発光素子の光軸の傾斜方向とは逆向きの傾斜方向に傾く態様、
（ｃ）前記第１発光素子列の各隣り合う第１発光素子の光軸が互いに異なる方向に傾き、前記第２発光素子列の各隣り合う第２発光素子の光軸も互いに異なる方向に傾く態様である。
【００３１】
前記（ａ）又は（ｂ）の態様において、さらに具体的な態様として、
（ｄ）前記各第１発光素子の光軸は互いに平行であると共に、前記各第２発光素子の光軸も互いに平行である態様を例示できる。
【００３２】
前記（ｃ）の態様において、さらに具体的な態様として、
（ｅ）前記第１発光素子列における一つおきの第１発光素子の光軸は互いに平行であると共に、残りの第１発光素子の光軸は互いに平行でかつ該一つおきの第１発光素子の光軸の傾斜方向とは逆向きの傾斜方向に傾き、前記第２発光素子列における一つおきの第２発光素子の光軸は互いに平行でかつ前記一つおきの第１発光素子の光軸の傾斜方向と同じ方向に傾くと共に、残りの第２発光素子の光軸は互いに平行でかつ該一つおきの第２発光素子の光軸の傾斜方向とは逆向きの傾斜方向に傾く態様を例示できる。
【００３３】
前記（ｄ）及び（ｅ）の態様において、前記（ｄ）の態様では、前記各発光素子列の各発光素子の光軸は互いに平行であるので、また、前記（ｅ）の態様では、前記各発光素子列における一つおきの発光素子の光軸は互いに平行であると共に、残りの発光素子の光軸も互いに平行であるので、互いに平行な各光軸が照射する前記光照射領域における狙いの位置を該各光軸の間で統一した位置とすることができ、これにより、前記各発光素子列における各発光素子の配置構成を画一的に単純化した状態で原稿の光照射面での照度ムラを軽減することが可能となる。
【００３４】
ところで、前記（ａ）の態様では、前記光照射領域の前記第１方向の両端部においては光軸が片側のみしか照射されないために光量が低下し易く、前記（ｂ）の態様では、前記各発光素子列の配置位置に対して前記光照射領域が前記第１方向の一方側又は他方側にシフトしてしまい、それだけ前記第１方向に余計なスペースをとってしまう。この点、前記（ｃ）及び（ｅ）の態様では、前記光照射領域の前記第１方向の両端部での光量低下を防止できると共に、前記各発光素子列の配置位置に対する前記光照射領域の前記第１方向におけるシフトを防止でき、これにより前記第１方向における余計なスペースをとることを回避できる。
【００３５】
本発明において、前記複数の発光素子が前記第１発光素子列と前記第２発光素子列とで構成されている場合、前記各発光素子の光軸は、前記各発光素子のうち、一の発光素子から前記光照射領域に向けた仮想垂線と前記光照射領域との素子配置交点と、該一の発光素子の隣に位置する隣設発光素子から前記光照射領域に向けた仮想垂線と前記光照射領域との隣設素子配置交点との間の１／４の位置、２／４の位置及び３／４の位置のうちの何れかの位置に向かうことが好ましい。
【００３６】
この特定事項では、前記各発光素子の光軸を前記素子配置交点と前記隣設素子配置交点との間で前記光照射領域に効率よく照射することができる。
【００３７】
本発明において、前記複数の発光素子が前記第１発光素子列と前記第２発光素子列とで構成されている場合、前記第１発光素子の光軸と前記光照射領域との第１光軸交点と、前記第２発光素子の光軸と前記光照射領域との第２光軸交点とは、互いに異なる位置に位置することが好ましい。
【００３８】
この特定事項では、前記第１発光素子による原稿の光照射面での照度ムラと、前記第２発光素子による原稿の光照射面での照度ムラとを分散させることができ、これにより、原稿の光照射面での前記第１方向の明暗の繰り返しを示す照度周期を短くでき、かつ、前記照度周期の数を増やすことができるので、原稿の光照射面での照度ムラを均一にならすことができ、それだけ良好な画像を得ることができる。
【００３９】
この場合、前記各第１発光素子の前記第１光軸交点及び前記各第２発光素子の前記第２光軸交点は、互いに異なる位置に位置し、一方の各光軸交点は、他方の各隣り合う光軸交点間における中間位置のうちの何れかの中間位置に位置することが好ましい。
【００４０】
この特定事項では、前記一方の発光素子の各光軸交点が前記他方の各隣り合う発光素子の光軸交点間における中間位置のうちの何れかの中間位置に位置するので、一方の発光素子による原稿の光照射面での照度ムラの暗部の前記第１方向における中央に、他方の発光素子の光軸を照射することができる。これにより、原稿の光照射面での照度ムラをさらに均一にでき、さらに良好な画像を得ることができる。
【００４１】
本発明において、前記複数の発光素子が前記第１発光素子列と前記第２発光素子列とで構成されている場合、前記第１発光素子列の各第１発光素子と、前記第２発光素子列の各第２発光素子とは、互いに対向する発光素子を通る仮想直線が前記第１方向に対して垂直になるように列設されていてもよい。
【００４２】
本発明において、前記複数の発光素子が前記第１発光素子列と前記第２発光素子列とで構成されている場合、前記第１発光素子列の各第１発光素子と、前記第２発光素子列の各第２発光素子とは、前記第１方向に対して平行に列設されていてもよい。
【発明の効果】
【００４３】
以上説明したように、本発明に係る照明装置及び画像読取装置並びに画像形成装置によると、前記複数の発光素子の少なくとも一つが前記第１方向に対して光軸を傾けるように構成されているので、原稿の光照射面での輝点を光の強弱が比較的緩やかに変化する位置とすることができ、これにより、原稿の照度ムラ（輝点）を目立ち難くできる。従って、前記発光素子からの光を効率よく原稿の光照射面に照射しつつ前記発光素子による原稿の光照射面での照度ムラを確実に軽減でき、これにより、良好な画像を得ることができる。
【図面の簡単な説明】
【００４４】
【図１】本発明に係る照明装置の一実施形態を適用した画像読取装置を備えた画像形成装置を概略的に示す側面図である。
【図２】図１に示す画像読取装置の概略縦断面図である。
【図３】本発明の第１実施形態に係る照明装置の一例である光源ユニットの概略構成を示す分解斜視図である。
【図４】光源ユニットにおける光源の概略構成を示す図であって、図（ａ）は、光源ユニットを示す側面図であり、図（ｂ）は、光源を示す側面図である。
【図５】光源ユニットにおける光源の概略平面図である。
【図６】図５に示す発光素子による原稿の光照射面での照度ムラを説明するための図であって、図（ａ）は、発光素子の配置構成に対応した原稿の光照射面での主走査方向の距離に対する照度を示すグラフであり、図（ｂ）は、発光素子の配置構成を示す平面図である。
【図７】第１実施形態の第１発光素子列及び第２発光素子列の一配列例における指向特性を示す概略平面図である。
【図８】第１実施形態の第１発光素子列及び第２発光素子列の他の配列例における指向特性を示す概略平面図である。
【図９】第１実施形態の第１発光素子列及び第２発光素子列のさらに他の配列例における指向特性を示す概略平面図である。
【図１０】第１発光素子列の各第１発光素子及び第２発光素子列の各第２発光素子の光軸が主走査方向に対して他方側に傾斜している状態を示す平面図である。
【図１１】第２実施形態の第１発光素子列及び第２発光素子列の配列構成の一例を示す概略平面図であって、図（ａ）は、第１発光素子の光軸と第２発光素子の光軸とが異なる傾斜方向で傾いている状態を示す図であり、図（ｂ）は、第１発光素子の光軸と第２発光素子の光軸とが図（ａ）の傾斜方向とは逆方向に傾いている状態を示す図である。
【図１２】第３実施形態の第１発光素子列及び第２発光素子列の配列構成の一例を示す概略平面図である。
【図１３】複数の発光素子を列設した従来の光源の概略構成を示す図であって、図（ａ）は、その側面図であり、図（ｂ）は、その平面図である。
【図１４】図１３に示す発光素子から出射される光の指向特性を示す図である。
【図１５】図１３に示す発光素子による原稿の光照射面での照度ムラを説明するための図であって、図（ａ）は、発光素子の配置構成に対応した原稿の光照射面での第１方向の距離に対する照度を示すグラフであり、図（ｂ）は、発光素子の配置構成を示す平面図である。
【発明を実施するための形態】
【００４５】
以下、本発明に係る一実施形態について図面を参照しながら説明する。なお、以下の実施の形態は、本発明を具体化した一例であって、本発明の技術的範囲を限定する性格のものではない。
【００４６】
図１は、本発明に係る照明装置の一実施形態を適用した画像読取装置１００を備えた画像形成装置Ｄを概略的に示す側面図である。
【００４７】
図１に示す画像形成装置Ｄは、原稿Ｇ（後述する図２等参照）の画像を読み取る画像読取装置１００と、この画像読取装置１００により読み取られた原稿Ｇの画像又は外部から受信した画像をカラーもしくは単色で普通紙等の記録シートに記録形成する装置本体Ｄ’とを備えている。
【００４８】
［画像形成装置の全体構成について］
画像形成装置Ｄの装置本体Ｄ’は、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００４９】
画像形成装置Ｄの装置本体Ｄ’において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００５０】
感光体ドラム３は、装置本体Ｄ’の上下方向のほぼ中央に配置されている。帯電器５は、感光体ドラム３の表面を所定の電位に均一に帯電させるための帯電手段であり、接触型であるローラ型やブラシ型の帯電器のほか、チャージャー型の帯電器が用いられる。
【００５１】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００５２】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００５３】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００５４】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００５５】
中間転写ローラ６は、中間転写ベルト７内側に回転可能に支持され、中間転写ベルト７を介して感光体ドラム３に圧接されている。
【００５６】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００５７】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、記録シートに対して均一に高電圧を印加することができる。
【００５８】
画像形成装置Ｄの装置本体Ｄ’は、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００５９】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００６０】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００６１】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【００６２】
給紙トレイ１０は、記録シートを格納しておくためのトレイであり、装置本体Ｄ’の画像形成部の下側に設けられている。また、画像形成部の上側に設けられている排紙トレイ１５は、印刷済みの記録シートをフェイスダウンで載置するためのトレイである。
【００６３】
また、装置本体Ｄ’には、給紙トレイ１０の記録シートを２次転写装置１１や定着装置１２を経由させて排紙トレイ１５に送るためのシート搬送装置５０が設けられている。このシート搬送装置５０は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【００６４】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００６５】
定着装置１２は、トナー像が転写された記録シートを受け取り、この記録シートをヒートローラ３１及び加圧ローラ３２間に挟み込んで搬送する。
【００６６】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【００６７】
各色のトナー像の定着後での記録シートは、排紙ローラ１７によって排紙トレイ１５上に排出される。
【００６８】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００６９】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００７０】
［画像読取装置の全体構成について］
図２は、図１に示す画像読取装置１００の概略縦断面図である。図１及び図２に示す画像読取装置１００は、原稿固定方式により原稿Ｇを固定して原稿画像を読み取ると共に、原稿移動方式により原稿Ｇを移動させて原稿画像を読み取るように構成されている。
【００７１】
すなわち、画像読取装置１００は、原稿台の一例である原稿台ガラス２０１ａ上に載置される原稿Ｇを光源２１１にて該ガラス２０１ａを介して照明し、該光源２１１を副走査方向（図中矢印Ｙ方向一方側）に移動させつつ該光源２１１により照明された原稿Ｇからの反射光を副走査方向Ｙに直交する主走査方向（後述する図３の矢印Ｘ方向参照）に走査して原稿画像を読み取る原稿固定読取構成と、自動原稿送り装置３００で原稿台の他の例である原稿読取ガラス２０１ｂ上を通過するように副走査方向Ｙ一方側に搬送される原稿Ｇを、原稿読取部２００において定位置Ｖに位置する光源２１１にて該ガラス２０１ｂを介して照明しつつ該光源２１１により照明された原稿Ｇからの反射光を主走査方向Ｘに走査して原稿画像を読み取る原稿移動読取構成とを備えている。なお、図２では光源２１１が定位置Ｖに位置している状態を示している。
【００７２】
詳しくは、原稿読取部２００は、原稿台ガラス２０１ａ、光源２１１を含む光源ユニット２１０（照明装置の一例）、光源２１１を移動させる光学系駆動部（図示せず）、ミラーユニット２０３、集光レンズ２０４及び撮像素子（ここではＣＣＤ）２０５を備えている。光源２１１は光源ユニット２１０に設けられており、これらは金属製の枠体２０２内に収容されている。なお、光源ユニット２１０についてはのちほど詳しく説明する。
【００７３】
原稿台ガラス２０１ａは、透明なガラス板からなり、主走査方向Ｘの両端部が枠体２０２に載置されている。なお、自動原稿送り装置３００は、副走査方向Ｙに沿った軸線回りに（例えばヒンジによって軸支され）原稿読取部２００に対して開閉可能となっており、その下面が原稿読取部２００の原稿台ガラス２０１ａ上に載置された原稿Ｇを上から押さえる原稿押さえ部材を兼ねている。
【００７４】
ミラーユニット２０３は、第２ミラー２０３ａ、第３ミラー２０３ｂ及び支持部材（図示せず）を備えている。前記支持部材は、第２ミラー２０３ａを、光源ユニット２１０における第１ミラー２３０からの光を反射して第３ミラー２０３ｂに導くように支持すると共に、第３ミラー２０３ｂを、第２ミラー２０３ａからの光を反射して集光レンズ２０４に導くように支持している。集光レンズ２０４は、第３ミラー２０３ｂからの光を撮像素子２０５に集光するものであり、撮像素子２０５は、集光レンズ２０４からの光（原稿画像光）を画像データとして電気信号に変換するものである。
【００７５】
また、前記光学系駆動部は、光源ユニット２１０を一定の速度で副走査方向Ｙに移動させると共に、ミラーユニット２０３を光源ユニット２１０の移動速度の１／２の移動速度で同じく副走査方向Ｙに移動させるように構成されている。
【００７６】
ここでは、原稿読取部２００は、原稿固定方式に加えて、原稿移動方式にも対応しており、原稿読取ガラス２０１ｂを備えている。従って、前記光学系駆動部は、さらに、光源ユニット２１０を原稿読取ガラス２０１ｂ下方の所定のホームポジションＶに位置させるように構成されている。なお、原稿台ガラス２０１ａ及び原稿読取ガラス２０１ｂは、ここでは個々に独立したものとしているが、これらを一体的に形成したものとしてもよい。
【００７７】
自動原稿送り装置３００は、原稿Ｇを搬送するために載置する原稿トレイ３０１と、この原稿トレイ３０１の下方に配置される排出トレイ３０２と、これらの間を接続する第１搬送路３０３と、原稿読取ガラス２０１ｂを基準にして原稿Ｇを該原稿Ｇの搬送方向Ｙ１においてそれぞれ上流側及び下流側で搬送する上流側搬送ローラ対３０４及び下流側搬送ローラ対３０５とからなる２つの搬送ローラ対とを備えている。すなわち、上流側搬送ローラ対３０４、原稿読取ガラス２０１ｂ及び下流側搬送ローラ対３０５は、搬送方向Ｙ１に沿ってこの順に配設されている。また、原稿読取ガラス２０１ｂは、第１搬送路３０３の搬送壁を画するように略水平に設けられている。
【００７８】
自動原稿送り装置３００は、さらに、ピックアップローラ３０６と、サバキローラ３０７と、分離パッド等の分離部材３０８とを備えている。
【００７９】
ピックアップローラ３０６は、原稿トレイ３０１上に載置された原稿Ｇを該原稿トレイ３０１から搬送方向Ｙ１に沿って第１搬送路３０３内へ送り出すものである。サバキローラ３０７は、ピックアップローラ３０６よりも搬送方向Ｙ１下流側に配置されており、ピックアップローラ３０６にて送られてきた原稿Ｇを分離部材３０８と共に挟持しつつさらに搬送方向Ｙ１下流側へ搬送するものである。分離部材３０８は、サバキローラ３０７に対峙された状態で該サバキローラ３０７との間に搬送される原稿Ｇが１枚になるように該原稿Ｇを捌く（分離する）ようになっている。
【００８０】
かかる構成を備えた自動原稿送り装置３００は、原稿Ｇをピックアップローラ３０６にてサバキローラ３０７と分離部材３０８との間に搬送し、ここで原稿Ｇを捌いて分離すると共にサバキローラ３０７を回転駆動させることによって１枚ずつ搬送するようになっている。そして、サバキローラ３０７にて搬送される原稿Ｇを第１搬送路３０３にて案内して上流側搬送ローラ対３０４に向けて１枚ずつ供給することが可能となっている。
【００８１】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む駆動伝達手段３０９を介してサバキローラ３０７と同方向に回転するように該サバキローラ３０７に連結されている。ピックアップローラ３０６及びサバキローラ３０７は、原稿Ｇの読み取り要求がなされると、図示しない原稿供給駆動部にて原稿Ｇを搬送方向Ｙ１に搬送させる方向（図２中矢印Ｗ）に回転駆動されるようになっている。
【００８２】
本実施の形態では、自動原稿送り装置３００は、原稿Ｇの一方の面を読み取り可能に搬送した後、該原稿Ｇを表裏が逆転するように反転させて該原稿Ｇの他方の面を読み取り可能に搬送するように構成されている。
【００８３】
詳しくは、自動原稿送り装置３００は、前記の構成に加えて、さらに、反転ローラ対３１０と、第２搬送路３１１と、切換爪３１２とを備えている。
【００８４】
第１搬送路３０３は、原稿Ｇをサバキローラ３０７から上流側搬送ローラ対３０４、原稿読取ガラス２０１ｂ、下流側搬送ローラ対３０５及び反転ローラ対３１０を経て排出トレイ３０２へ搬送するようにループ状に形成されている。反転ローラ対３１０は、下流側搬送ローラ対３０５よりも搬送方向Ｙ１下流側に配設され、かつ、該下流側搬送ローラ対３０５から搬送されてきた原稿Ｇを後端（搬送方向Ｙ１上流側端）が前になるように搬送するためのものである。第２搬送路３１１は、反転ローラ対３１０と下流側搬送ローラ対３０５との間の分岐部Ｓ’から分岐され、かつ、該反転ローラ対３１０にて後端が前になるように搬送された原稿Ｇを該原稿Ｇの表裏が逆転するように反転させるために第１搬送路３０３の上流側搬送ローラ対３０４よりも搬送方向Ｙ１上流側へ導くものである。第１搬送路３０３の反転ローラ対３１０と分岐部Ｓ’との間には、スイッチバック搬送路３１３が形成されている。このスイッチバック搬送路３１３は、反転ローラ対３１０の順方向（原稿Ｇの搬送方向Ｙ１）の回転による原稿Ｇの搬送と、逆方向の回転による原稿Ｇの逆搬送とが可能な搬送路とされている。
【００８５】
切換爪３１２は、分岐部Ｓ’に配置され、かつ、原稿Ｇを反転ローラ対３１０から第２搬送路３１１を介して上流側搬送ローラ対３０４へ導く第１切換姿勢と、原稿Ｇを下流側搬送ローラ対３０５からスイッチバック搬送路３１３を介して反転ローラ対３１０へ導く第２切換姿勢とをとり得るように構成されている。
【００８６】
ここでは、切換爪３１２は、通常状態では、スイッチバック搬送路３１３と第２搬送路３１１とを直結する形態で配置され（第１切換姿勢、図２中実線参照）、原稿読取部２００で原稿画像が読み取られた原稿Ｇが搬送方向Ｙ１に搬送される際には、該原稿Ｇの先端（搬送方向Ｙ１下流側端）が切換爪３１２を押し上げて該原稿Ｇをスイッチバック搬送路３１３へ導くようになっている（第２切換姿勢、図中破線参照）。この分岐爪３１２は、爪部３１２ａが自重で落下し、下流側搬送ローラ対３０５と反転ローラ対３１０との間の第１搬送路３０３を閉塞して前記第１切換姿勢をとるように反転ローラ対３１１の軸線方向に沿った揺動軸Ｑ回りに揺動自在とされている。そして、切換爪３１２は、原稿Ｇの後端がスイッチバック搬送路３１３内に位置し、該原稿Ｇが逆方向に回転する反転ローラ対３１０にて原稿Ｇの搬送方向Ｙ１とは反対方向の逆搬送方向（図中矢印Ｙ２方向）に逆搬送される際には、該原稿Ｇを第２搬送路３１１へ導くようになっている。
【００８７】
なお、原稿トレイ３０１に載置された原稿Ｇのサイズは、原稿トレイ３０１の原稿載置部に配設された原稿サイズセンサ３１４で検出されるようになっている。原稿トレイ３０１に載置された原稿Ｇの有無は、原稿トレイ３０１の原稿載置部のピックアップローラ３０６近傍に配設された原稿有無検知センサ３１５で検出されるようになっている。また、上流側搬送ローラ対３０４は、停止状態においてサバキローラ３０７にて搬送された原稿Ｇの先端を突き合わせて整合し、読み取りタイミングに合わせて回転駆動されるようになっている。こうして搬送される原稿Ｇは、第１搬送路３０３の搬送方向Ｙ１において第２搬送路３１１より下流側、かつ、上流側搬送ローラ対３０４より下流側に配設された搬送センサ３１６で検出されるようになっている。また、反転ローラ対３１０にて排出される原稿Ｇは、反転ローラ対３１０より排出側で該反転ローラ対３１０近傍に配設された排出センサ３１７で検出されるようになっている。なお、搬送ローラ対３０４，３０５、反転ローラ対３１０等は、図示しない搬送系の駆動部にて駆動されるようになっている。
【００８８】
また、本実施の形態においては、原稿読取部２００は、搬送される原稿Ｇを間にして、原稿読取ガラス２０１ｂと対向する読取ガイド３１８をさらに備えている。
【００８９】
以上説明した画像読取装置１００では、原稿固定方式によって原稿Ｇの原稿画像を読み取る指示がなされると、光源ユニット２１０は原稿台ガラス２０１ａに載置される原稿Ｇに対して光を該原稿台ガラス２０１ａを介して照射しながら一定の速度で副走査方向Ｙの一方側に移動して原稿Ｇの画像を走査し、それと同時にミラーユニット２０３は光源ユニット２１０の移動速度の１／２の移動速度で同じく副走査方向Ｙの一方側に移動する。
【００９０】
光源ユニット２１０にて照明された原稿Ｇからの反射光は、光源ユニット２１０に設けられた第１ミラー２３０で反射したのち、ミラーユニット２０３の第２及び第３ミラー２０３ａ，２０３ｂによって１８０°光路変換され、第３ミラー２０３ｂから反射された光は集光レンズ２０４を介して撮像素子２０５に結像し、ここで原稿画像光が読み取られて電気的な画像データに変換される。
【００９１】
一方、原稿移動方式によって原稿Ｇの原稿画像を読み取る指示がなされると、光源ユニット２１０及びミラーユニット２０３が図２に示される位置Ｖに静止したまま、自動原稿送り装置３００によって原稿Ｇが図２に示される位置Ｖの上部を通過するように副走査方向Ｙの一方側に搬送される。すなわち、原稿トレイ３０１に載置された原稿Ｇは、ピックアップローラ３０６によって取り出され、サバキローラ３０７及び分離部材３０８によって１枚ずつに分離され、第１搬送路３０３に搬送される。第１搬送路３０３に搬送された原稿Ｇは、搬送センサ３１６で原稿Ｇの搬送が確認された後、上流側搬送ローラ対３０４によって、斜行防止のために先端が揃えられると共に、規定の読み取りタイミングで送り出され、表裏が反転されて原稿読取ガラス２０１ｂへと搬送される。
【００９２】
そして、原稿読取ガラス２０１ｂ上を通過した原稿Ｇの一方の面に、光源ユニット２１０からの光が該原稿読取ガラス２０１ｂを介して照射されて該一方の面で反射される。この原稿Ｇの一方の面から反射された光は、上述の原稿固定方式と同様に第１ミラー２３０によって反射された後、ミラーユニット２０３の第２及び第３ミラー２０３ａ，２０３ｂによって１８０°光路変換され、集光レンズ２０４を介して撮像素子２０５に結像し、ここで原稿画像が読み取られて電気的な画像データに変換される。なお、この撮像素子２０５による読み取り動作は、後述する両面読み取りの場合も同様であり、以下では説明を省略する。
【００９３】
読み取りの終了した原稿Ｇは、下流側搬送ローラ対３０５によって読取ガラス２０１ｂ上から引き出され、第１搬送路３０３のスイッチバック搬送路３１３を介して、可逆回転可能な反転ローラ対３１０によって排出トレイ３０２上に排出される。
【００９４】
また、原稿Ｇの一方の面と他方の面との両面を読み取る場合には、一方の面が読み取られた原稿Ｇが排出トレイ３０２に排出されることなく、該原稿Ｇの後端がスイッチバック搬送路３１３内に位置するように搬送され、逆方向に回転する反転ローラ対３１０にて逆搬送方向Ｙ２に逆搬送されて第１切換姿勢にある切換爪３１２にて第２搬送路３１１へ導かれる。第２搬送路３１１に導かれた原稿Ｇは、第２搬送路３１１を介して、再度、第１搬送路３０３に戻ることで、表裏が反転されて上流側搬送ローラ対３０４にて搬送され、原稿読取ガラス２０１ｂ上を通過して他方の面が読み取られる。こうして両面の読み取りが終わった原稿Ｇは、再度、第１搬送路３０３に戻ることで、表裏が反転されて搬送ローラ対３０４，３０５にて搬送され、その後、第１搬送路３０３のスイッチバック搬送路３１３を通過し、順方向に回転する反転ローラ対３１０を介して排出トレイ３０２に排出される。
【００９５】
［本発明の特徴部分の説明］
（第１実施形態）
図３は、本発明の第１実施形態に係る照明装置の一例である光源ユニット２１０の概略構成を示す分解斜視図である。図４は、光源ユニット２１０における光源２１１の概略構成を示す図であって、図４（ａ）は、光源ユニット２１０の側面図を示しており、図４（ｂ）は、光源２１１の側面図を示している。また、図５は、光源ユニット２１０における光源２１１の概略平面図を示している。なお、図４においては、原稿台２０１ａ，２０１ｂ及び原稿Ｇも図示している。
【００９６】
本発明の第１実施形態に係る光源ユニット２１０に備えられている光源２１１は、複数の発光素子（２１２ａ，…），（２１２ｂ，…）と、それを搭載する光源基板２１３ａ，２１３ｂとを備えている。複数の発光素子（２１２ａ，…），（２１２ｂ，…）は、何れも発光ダイオード（ＬＥＤ）素子とされている。従って、各発光素子（２１２ａ，…），（２１２ｂ，…）は、所定方向に強い指向特性を有している。各発光素子（２１２ａ，…），（２１２ｂ，…）から射出される光のうち光束が最も強くなる方向が光軸Ｌとされている。なお、各発光素子は、同じタイプのものとされており、光量や発光の際の指向特性等は何れも実質的に同一のものとされている。
【００９７】
複数の発光素子（２１２ａ，…），（２１２ｂ，…）は、原稿Ｇにおける所定の第１方向（ここでは主走査方向Ｘ）に延びる一定の光照射領域（光照射位置）Ｌ’に向けて光軸Ｌを照射するものであり、原稿Ｇの光照射面Ｇ’に沿って列設されている。この光照射領域Ｌ’が原稿読取位置とされる。
【００９８】
本第１実施の形態では、図５に示すように、複数の発光素子（２１２ａ，…），（２１２ｂ，…）は、光照射領域Ｌ’を基準にして、主走査方向Ｘに直交する光照射面Ｇ’に沿った第２方向（ここでは副走査方向Ｙ）の両側のうち、一方側に列設された複数の第１発光素子２１２ａ，…と、他方側に列設された複数の第２発光素子２１２ｂ，…とで構成されている。詳しくは、複数の発光素子（２１２ａ，…），（２１２ｂ，…）は、第１発光素子２１２ａ，…が主走査方向Ｘに平行に並べられた第１発光素子列２２０ａと、複数の第２発光素子２１２ｂ，…が主走査方向Ｘに平行に並べられた第２発光素子列２２０ｂとの２列に配置されている。第１発光素子２１２ａ，…及び第２発光素子２１２ｂ，…は、ここでは、同数とされている。
【００９９】
光源基板２１３ａ，２１３ｂは、主走査方向Ｘに延びる互いに平行な第１及び第２光源基板２１３ａ，２１３ｂからなっている。第１光源基板２１３ａには、複数の第１発光素子２１２ａ，…が搭載され、第２光源基板２１３ｂには、複数の第２発光素子２１２ｂ，…が搭載されている。
【０１００】
また、本第１実施の形態では、複数の第１発光素子２１２ａ，…及び複数の第２発光素子２１２ｂ，…の主走査方向Ｘにおける各ピッチ（素子中心間の距離）Ｐは、何れも同一距離とされている。
【０１０１】
また、第１発光素子列２２０ａの各第１発光素子２１２ａ，…の中心と、それに対向する第２発光素子列２２０ｂの各第２発光素子２１２ｂ，…の中心とを通る仮想直線β，…は、主走査方向Ｘに対して垂直とされている。換言すれば、第１発光素子列２２０ａ及び第２発光素子列２２０ｂにおいて、第１発光素子２１２ａ，…及び第２発光素子２１２ｂ，…は、ピッチ位置が副走査方向Ｙで揃うように配列されている。
【０１０２】
また、本第１実施の形態では、図４（ｂ）に示すように、複数の第１発光素子２１２ａ，…及び複数の第２発光素子２１２ｂ，…は、それぞれ、搭載される第１光源基板２１３ａ及び第２光源基板２１３ｂの基板面Ｆに対して光軸Ｌが平行になるように光を射出するサイド発光を行う発光面Ｅ１を有している。具体的には、第１発光素子２１２ａ，…を搭載した第１光源基板２１３ａと、第２発光素子２１２ｂ，…を搭載した第２光源基板２１３ｂとは、主走査方向Ｘから視た側面視において光軸Ｌが光照射領域Ｌ’を照射するように原稿側とは反対側が開いた「ハの字」形に配置されている。なお、光照射領域Ｌ’は、第１光源基板２１３ａ及び第２光源基板２１３ｂの中間に位置している。
【０１０３】
図３に示すように、光源ユニット２１０は、発光素子アレイユニット２１５と、該発光素子アレイユニット２１５が設けられるミラーベースユニット２１６とを備えている。
【０１０４】
発光素子アレイユニット２１５は、第１発光素子２１２ａ，…と、該第１発光素子２１２ａ，…が設けられる第１光源基板２１３ａと、第２発光素子２１２ｂ，…と、該第２発光素子２１２ｂ，…が設けられる第２光源基板２１３ｂと、第１光源基板２１３ａ及び第２光源基板２１３ｂが設けられる基台２１４とを備えている。
【０１０５】
詳しくは、基台２１４は、第１及び第２光源基板２１３ａ，２１３ｂを所定の間隔をあけて主走査方向Ｘ両端側でビス等の固定部材ＳＣにて固定している。こうして、第１発光素子２１２ａ，…と第２発光素子２１２ｂ，…とが、光軸Ｌの原稿Ｇへの光照射領域Ｌ’を基準にして、副走査方向Ｙの両側にそれぞれ配置されている。
【０１０６】
基台２１４には、さらに、第１光源基板２１３ａと第２光源基板２１３ｂとの間において、原稿Ｇからの反射光を通過させるための主走査方向Ｘに沿って延びるスリットＲが形成されている。このスリットＲは、原稿読取位置である光照射領域Ｌ’の真下に位置している。
【０１０７】
ミラーベースユニット２１６には、第１ミラー２３０が設けられている。詳しくは、第１ミラー２３０は、原稿Ｇの光照射面Ｇ’で反射した光を基台２１４に設けられたスリットＲを介してミラーユニット２０３の第２ミラー２０３ａに導くようにミラーベースユニット２１６の主走査方向Ｘに沿った開口２１６ａに挿通された状態で支持されている。
【０１０８】
以上説明した光源ユニット２１０では、複数の発光素子（２１２ａ，…），（２１２ｂ，…）の少なくとも一つ（ここでは全発光素子）が、主走査方向Ｘに対して光軸Ｌを、基板面Ｆに直交する方向に沿った軸線Ｔ（図４（ｂ）参照）回りに傾けるように配置されている。
【０１０９】
詳しくは、光照射領域Ｌ’を基準にした副走査方向Ｙの両側のうち、少なくとも一方側（ここでは両側）に列設された発光素子（２１２ａ，…），（２１２ｂ，…）の少なくとも一つ（ここでは全発光素子）は、主走査方向Ｘに対して光軸Ｌを軸線Ｔ回りに傾けるように配置されている。
【０１１０】
図６は、図５に示す発光素子（２１２ａ，…），（２１２ｂ，…）による原稿Ｇの光照射面Ｇ’での照度ムラを説明するための図であって、図６（ａ）は、発光素子（２１２ａ，…），（２１２ｂ，…）の配置構成に対応した原稿Ｇの光照射面Ｇ’での主走査方向Ｘの距離に対する照度のグラフを示しており、図６（ｂ）は、発光素子（２１２ａ，…），（２１２ｂ，…）の配置構成を示している。
【０１１１】
本第１実施の形態によると、発光素子（２１２ａ，…），（２１２ｂ，…）が主走査方向Ｘに対して光軸Ｌを軸線Ｔ回りに傾けるように配置されることで（図５参照）、前記指向特性により（図６（ｂ）参照）、原稿Ｇの光照射面Ｇ’での輝点Ｍを光の強弱が比較的緩やかに変化する位置とすることができる。そうすると、主走査方向Ｘにおける照度ムラの照度の最大値から最小値への中間位置での照度変化の傾き（単位距離当たりの照度の変化量）α１、及び、照度の最小値から最大値への中間位置での照度変化の傾き（単位距離当たりの照度の変化量）α２を小さくできるため（図６（ａ）参照）、原稿Ｇの照度ムラ（輝点）を目立ち難くできる。従って、発光素子（２１２ａ，…），（２１２ｂ，…）からの光を効率よく原稿Ｇの光照射面Ｇ’に照射しつつ発光素子（２１２ａ，…），（２１２ｂ，…）による原稿Ｇの光照射面Ｇ’での照度ムラを確実に軽減でき、これにより、良好な画像を得ることができる。例えば、従来の照明装置で原稿と光源との間に設けていたような拡散部材を設けなくても照度ムラを抑制できると共に、光源２１１を原稿Ｇの光照射面Ｇ’へ近づけた状態でも発光素子（２１２ａ，…），（２１２ｂ，…）の原稿Ｇの光照射面Ｇ’での輝点を目立ち難くでき、それだけ原稿Ｇの光照射面Ｇ’での照度の向上を図ることができる。
【０１１２】
さらに、後述する図８に示すように、光照射領域Ｌ’を基準にした副走査方向Ｙの両側の発光素子（２１２ａ，…），（２１２ｂ，…）から同じ位置に光軸Ｌが主走査方向Ｘに対して傾いた状態で光照射領域Ｌ’に照射されたとしても、従来の如く、光軸が光照射領域に対して直角に照射する構成や、発光素子を千鳥状に配置した従来の構成よりも原稿Ｇの照度ムラを目立ち難くできる。しかも、両側の発光素子（２１２ａ，…），（２１２ｂ，…）から光照射領域Ｌ’に光軸Ｌを照射できるため、発光素子を千鳥状に配置した従来の構成よりも光量を上げなくてもよく、これにより原稿Ｇの照度ムラを軽減した状態で発光素子（２１２ａ，…），（２１２ｂ，…）の寿命低下を抑制できる。
【０１１３】
また、本第１実施の形態では、スリットＲが光照射領域Ｌ’の真下に位置しているので、照度ムラが軽減された原稿反射光をスリットＲに効率よく通過させることができる。また、発光素子（２１２ａ，…），（２１２ｂ，…）は、それぞれ、搭載される第１光源基板２１３ａ及び第２光源基板２１３ｂの基板面Ｆに対して光軸Ｌが平行になるように光を射出するサイド発光を行うので、該発光素子（２１２ａ，…），（２１２ｂ，…）を軸線Ｔ回りに回転させるだけで、光軸Ｌを主走査方向Ｘに対して容易に傾けることができる。
【０１１４】
詳しくは、第１発光素子列２２０ａの各第１発光素子２１２ａ，…は、光軸Ｌが何れも同じ傾斜方向に傾くように配置されており、第２発光素子列２２０ｂの各第２発光素子２１２ｂ，…は、光軸Ｌが何れも前記各第１発光素子の光軸Ｌの傾斜方向と同じ方向に傾くように配置されている。
【０１１５】
ここでは、各第１発光素子２１２ａ，…は、光軸Ｌが互いに平行になるように配置されており、各第２発光素子２１２ｂ，…も、光軸Ｌが互いに平行になるように配置されている。
【０１１６】
図７は、第１実施形態の第１発光素子列２２０ａ及び第２発光素子列２２０ｂの一配列例における指向特性を示す概略平面図である。図８は、第１実施形態の第１発光素子列２２０ａ及び第２発光素子列２２０ｂの他の配列例における指向特性を示す概略平面図である。また、図９は、第１実施形態の第１発光素子列２２０ａ及び第２発光素子列２２０ｂのさらに他の配列例における指向特性を示す概略平面図である。なお、図７から図９において、図５に示す構成要素と同じ要素には同一符号を付し、その説明を省略する。後述する図１０から図１２についても同様である。
【０１１７】
図７から図９に示す配列構成では、主走査方向Ｘに延びる光照射領域Ｌ’と、第１発光素子列２２０ａ及び第２発光素子列２２０ｂの各発光素子（２１２ａ，…），（２１２ｂ，…）の中心から光照射領域Ｌ’に向けた仮想垂線との交点Ｋ１〜Ｋ５において、一の発光素子２１２ａ（２１２ａ’），２１２ｂ（２１２ｂ’）から光照射領域Ｌ’に向けた仮想垂線β１との素子配置交点Ｋ１と、該一の発光素子２１２ａ’，２１２ｂ’の隣に位置する隣設発光素子２１２ａ（２１２ａ”），２１２ｂ（２１２ｂ”）の中心から光照射領域Ｌ’に向けた仮想垂線β２との隣設素子配置交点Ｋ５との間を４分割し、一の発光素子２１２ａ’，２１２ｂ’から隣設発光素子２１２ａ”，２１２ｂ”を視て１／４の位置をＫ２、２／４の位置をＫ３、３／４の位置をＫ４とした場合、各発光素子（２１２ａ，…），（２１２ｂ，…）は、光軸Ｌが１／４の位置Ｋ２から３／４の位置Ｋ４のうち何れかの位置（図７では１／４の位置Ｋ２、図８では２／４の位置Ｋ３、図９では３／４の位置Ｋ４）に向かうように配置されている。
【０１１８】
この配列構成では、各発光素子（２１２ａ，…），（２１２ｂ，…）の光軸Ｌを素子配置交点Ｋ１から隣設素子配置交点Ｋ５の間で光照射領域Ｌ’に効率よく照射することができる。
【０１１９】
特に、発光素子（２１２ａ，…），（２１２ｂ，…）の光軸Ｌが、図７に示すように１／４の位置Ｋ２に向かう場合や、図９に示すように光軸Ｌが３／４の位置Ｋ４に向かう場合に有利となる。
【０１２０】
すなわち、図７及び図９に示す発光素子列２２０ａ，２２０ｂの配列構成では、光照射領域Ｌ’と第１発光素子列２２０ａの各第１発光素子２１２ａ，…の光軸Ｌとの第１光軸交点（Ｋ２，Ｋ４），…と、光照射領域Ｌ’と第２発光素子列２２０ｂの各第２発光素子２１２ｂ，…の光軸Ｌとの第２光軸交点（Ｋ２，Ｋ４），…とは、互いに異なる位置に位置するように配置されている。
【０１２１】
この配列構成では、各第１発光素子２１２ａ，…による原稿Ｇの光照射面Ｇ’での照度ムラと、各第２発光素子２１２ｂ，…による原稿Ｇの光照射面Ｇ’での照度ムラとを分散させることができる。換言すれば、各第１発光素子２１２ａ，…及び各第２発光素子２１２ｂ，…のうち、一方の発光素子２１２ａ，…又は２１２ｂ，…による原稿Ｇの光照射面Ｇ’での照度ムラの暗部に、他方の発光素子２１２ｂ，…又は２１２ａ，…の光軸を照射することができる。これにより、原稿Ｇの光照射面Ｇ’での照度ムラを均一にならすことができ、それだけ良好な画像を得ることができる。
【０１２２】
しかも、図７及び図９に示す各第１発光素子２１２ａ，…及び各第２発光素子は、第１光軸交点（Ｋ２，Ｋ４），…及び第２光軸交点（Ｋ２，Ｋ４），…のうち、一方の各光軸交点（Ｋ２，Ｋ４），…が他方の各隣り合う光軸交点（Ｋ２，Ｋ４），…間の中間位置に位置するように配置されている。
【０１２３】
この配列構成では、一方の発光素子２１２ａ，…又は２１２ｂ，…による原稿Ｇの光照射面Ｇ’での照度ムラの暗部の主走査方向Ｘにおける中央に、他方の発光素子２１２ｂ，…又は２１２ａ，…の光軸Ｌを照射することができる。これにより、原稿Ｇの光照射面Ｇ’での照度ムラをさらに均一にでき、さらに良好な画像を得ることができる。
【０１２４】
なお、図５に示す配置構成において、第１発光素子列２２０ａの各第１発光素子２１２ａ，…及び第２発光素子列２２０ｂの各第２発光素子２１２ａ，…は、主走査方向Ｘに対して光軸Ｌが一方側に傾斜するように配置されているが、勿論、図１０に示すように、他方側に傾斜するように配置されていてもよい。
【０１２５】
（第２実施形態）
図１１は、第２実施形態の第１発光素子列２２０ａ及び第２発光素子列２２０ｂの配列構成の一例を示す概略平面図であって、図１１（ａ）は、第１発光素子２１２ａ，…の光軸Ｌと第２発光素子２１２ｂ，…の光軸Ｌとが異なる傾斜方向で傾いている状態を示しており、図１１（ｂ）は、第１発光素子２１２ａ，…の光軸Ｌと第２発光素子２１２ｂ，…の光軸Ｌとが図１１（ａ）の傾斜方向とは逆方向に傾いている状態を示している。
【０１２６】
図１１に示す配列構成では、第１発光素子列２２０ａの各第１発光素子２１２ａ，…は、光軸Ｌが何れも同じ傾斜方向に傾くように配置されており、第２発光素子列２２０ｂの各第２発光素子２１２ｂ，…は、光軸Ｌが何れも各第１発光素子２１２ａ，…の光軸Ｌの傾斜方向とは逆方向に傾くように配置されている。
【０１２７】
ここでは、各第１発光素子２１２ａ，…は、光軸Ｌが互いに平行になるように配置されており、各第２発光素子２１２ｂ，…も、光軸Ｌが互いに平行になるように配置されている。
【０１２８】
（第３実施形態）
図１２は、第３実施形態の第１発光素子列２２０ａ及び第２発光素子列２２０ｂの配列構成の一例を示す概略平面図である。
【０１２９】
図１２に示す配列構成では、第１発光素子列２２０ａの各隣り合う第１発光素子２１２ａ，２１２ａは、光軸Ｌが互いに異なる方向（ここでは傾斜方向が交互に異なる方向）に傾くように配置されており、第２発光素子列２２０ｂの各隣り合う第２発光素子２１２ｂ，２１２ｂも、光軸Ｌが互いに異なる方向（ここでは傾斜方向が交互に異なる方向）に傾くに配置されている。
【０１３０】
詳しくは、第１発光素子列２２０ａにおける一つおきの第１発光素子２１２ａ（２１２ａｘ），…は、光軸Ｌが互いに平行になるように配置されていると共に、残りの第１発光素子２１２ａ（２１２ａｙ），…は、光軸Ｌが互いに平行でかつ一つおきの第１発光素子２１２ａ（２１２ａｘ），…の光軸Ｌの傾斜方向とは逆方向に傾くように配置されている。また、第２発光素子列２２０ｂにおける一つおきの第２発光素子２１２ｂ（２１２ｂｘ），…は、光軸Ｌが互いに平行でかつ一つおきの第１発光素子２１２ａ（２１２ａｘ），…の光軸Ｌの傾斜方向と同じ方向に傾くように配置されていると共に、残りの第２発光素子２１２ｂ（２１２ｂｙ），…は、光軸Ｌが互いに平行でかつ一つおきの第２発光素子２１２ｂ（２１２ｂｘ），…の光軸Ｌの傾斜方向とは逆方向に傾くように配置されている。
【０１３１】
ここでは、一つおきの第１発光素子２１２ａｘ，…及び一つおきの第２発光素子２１２ｂｘ，…は、それら一つおきの発光素子（２１２ａｘ，…），（２１２ｂｘ，…）の光軸Ｌが平行になるように配置されている。また、残りの第１発光素子２１２ａｙ，…及び残りの第２発光素子２１２ｂｙ，…は、それら残りの発光素子（２１２ａｙ，…），（２１２ｂｙ，…）の光軸Ｌが平行になるように配置されている。なお、各隣り合う光軸Ｌの光照射領域Ｌ’との交点間の距離を等しくすることが好ましい。
【０１３２】
（第１から第３実施形態について）
図５から図１０に示す第１実施形態の配列構成及び図１１に示す第２実施形態の配列構成並びに図１２に示す第３実施形態の配列構成において、第１及び第２実施形態の配列構成では、各発光素子列２２０ａ，２２０ｂの各発光素子（２１２ａ，…），（２１２ｂ，…）の光軸Ｌは互いに平行であるので、また、第３実施形態の配列構成では、各発光素子列２２０ａ，２２０ｂにおける一つおきの発光素子（２１２ａｘ，…），（２１２ｂｘ，…）の光軸Ｌは互いに平行であると共に、残りの発光素子（２１２ａｙ，…），（２１２ｂｙ，…）の光軸Ｌも互いに平行であるので、互いに平行な各光軸Ｌが照射する光照射領域Ｌ’における狙いの位置を該各光軸Ｌの間で統一した位置とすることができ、これにより、各発光素子列２２０ａ，２２０ｂにおける各発光素子（２１２ａ，…），（２１２ｂ，…）の配置構成を画一的に単純化した状態で原稿Ｇの光照射面での照度ムラを軽減することが可能となる。
【０１３３】
ところで、図５から図１０に示す第１実施形態の配列構成では、各第１発光素子２１２ａ，…の光軸Ｌが何れも同じ傾斜方向に傾き、各第２発光素子２１２ｂ，…の光軸Ｌが何れも各第１発光素子２１２ａ，…の光軸Ｌの傾斜方向と同じ方向に傾くので、光照射領域Ｌ’の主走査方向Ｘの両端部においては光軸Ｌが片側のみしか照射されないために光量が低下し易い。また、図１１に示す第２実施形態の配列構成では、各第１発光素子２１２ａ，…の光軸が何れも同じ傾斜方向に傾き、各第２発光素子２１２ｂ，…の光軸Ｌが何れも各第１発光素子２１２ａ，…の光軸Ｌの傾斜方向とは逆方向に傾くので、各発光素子列２２０ａ，２２０ｂの配置位置に対して光照射領域Ｌ’が主走査方向Ｘの一方側又は他方側にシフトしてしまい、それだけ主走査方向Ｘに無駄なスペースをとってしまう。
【０１３４】
この点、図１２に示す第３実施形態の配列構成では、第１発光素子列２２０ａの各隣り合う第１発光素子２１２ａ，２１２ａの光軸Ｌは傾斜方向が交互に異なる方向に傾き、第２発光素子列２２０ｂの各隣り合う第２発光素子２１２ｂ，２１２ｂの光軸Ｌは傾斜方向が交互に異なる方向に傾くので、光照射領域Ｌ’の主走査方向Ｘの両端部での光量低下を防止できると共に、各発光素子列２２０ａ，２２０ｂの配置位置に対する光照射領域Ｌ’の主走査方向Ｘにおけるシフトを防止でき、これにより主走査方向Ｘにおける無駄なスペースをとることを回避できる。
【０１３５】
図５から図１０に示す第１実施形態の配列構成及び図１２に示す第３実施形態の配列構成においては、第１発光素子列２２０ａ及び第２発光素子列２２０ｂにおける各発光素子（２１２ａ，…），（２１２ｂ，…）を、光照射領域Ｌ’上における対称点を中心に点対称となるように構成することができる。この場合、第１発光素子列２２０ａと第２発光素子列２２０ｂとを共用使いでき、発光素子列２２０ａ，２２０ｂを含む組立部材（具体的には発光素子搭載基板２１３ａ，２１３ｂ）を共通使いすることが可能となり、それだけ前記組立部材の製造コスト及び前記組立部材の部品管理コストを低減させることができる。
【０１３６】
なお、以上説明した発光素子（２１２ａ，…），（２１２ｂ，…）の配置構成は、基準にした副走査方向Ｙの両側に配置したものであるが、片側に配置したものであってもよい。
【符号の説明】
【０１３７】
１００        画像読取装置
２１０        光源ユニット（照明装置の一例）
２１１        光源
２１２ａ，…  第１発光素子
２１２ｂ，…  第２発光素子
２１３ａ，…  第１光源基板
２１３ｂ，…  第２光源基板
２１４        基台
２２０ａ      第１発光素子列
２２０ｂ      第２発光素子列
Ｄ            画像形成装置
Ｇ            原稿
Ｇ’          原稿の光照射面
Ｌ’          光照射領域
Ｌ            光軸
Ｋ１          素子配置交点
Ｋ２          素子配置交点から１／４の位置
Ｋ３          素子配置交点から２／４の位置
Ｋ４          素子配置交点から３／４の位置
Ｋ５          隣設素子配置交点
Ｆ            基板面
Ｒ            スリット
Ｘ            主走査方向（第１方向の一例）
Ｙ            副走査方向（第２方向の一例）
β            第１発光素子と第２発光素子とを通る仮想直線
γ１，γ２    仮想垂線
【図１】
2010183497.tif 000003
【図２】
2010183497.tif 000004
【図３】
2010183497.tif 000005
【図４】
2010183497.tif 000006
【図５】
2010183497.tif 000007
【図６】
2010183497.tif 000008
【図７】
2010183497.tif 000009
【図８】
2010183497.tif 000010
【図９】
2010183497.tif 000011
【図１０】
2010183497.tif 000012
【図１１】
2010183497.tif 000013
【図１２】
2010183497.tif 000014
【図１３】
2010183497.tif 000015
【図１４】
2010183497.tif 000016
【図１５】
2010183497.tif 000017